(57)【要約】【課題】面積の広い大規模な日除けを形成する場合でも部分的な性能低下を起こすことなく、均一に性能を発揮できる技術を実現すること。【解決手段】複数の遮光面と複数の透孔が三次元的に配置され、所定の最大遮光角度から観察した場合に上記の各透光が背後に配置された各遮光面によってほぼ塞がれた状態にみえる構造を備えた複数の日除け部材50を、一定の方向に揃えて取り付けた日除けユニット（正置ユニット66、倒置ユニット75）を複数備え、日除けユニットの一部が他の日除けユニットよりも垂直方向に高い位置に配置されている日除け76。【選択図】図１３
2018080500.tif 000002
【特許請求の範囲】
【請求項１】
複数の遮光面と複数の透孔が三次元的に配置され、所定の最大遮光角度から観察した場合に上記の各透光が背後に配置された各遮光面によってほぼ塞がれた状態にみえる構造を備えた複数の日除け部材を、一定の方向に揃えて取り付けた日除けユニットを複数備えた日除けであって、
上記日除けユニットの一部が、他の日除けユニットよりも垂直方向に高い位置に配置されていることを特徴とする日除け。
【請求項２】
上記の各日除けユニットが複数のグループに分けられており、
各日除けユニットは、グループ単位で別個の脚部によって設置面から所定の距離を隔てた位置に支持されており、
各グループを支持する脚部の一部が、他のグループを支持する脚部の高さと異なる高さを備えていることを特徴とする請求項１に記載の日除け。
【発明の詳細な説明】
【技術分野】
【０００１】
この発明は日除けに係り、特に、複数の遮光面と透孔が三次元的に配置された構造の日除け部材を複数組み合わせた日除けに関する。
【背景技術】
【０００２】
都市部において深刻化しつつあるヒートアイランド現象を解消し、また消費電力の低減にも資するものとして、所謂フラクタル構造を備えた日除け部材を多数組み合わせることによって形成される日除けが、既に提案されている。
【特許文献１】特許第５３１５５１４号
【特許文献２】特許第５７６３９７７号
【０００３】
ここで「フラクタル構造」とは、複数のクラスターを有する構造であって、クラスターが階層構造をなし、各階層に属するクラスターの形状が互いに相似するものをいう。このような自己相似立体図形の一つとして、シェルピンスキー四面体が知られている。
このようなフラクタル構造を体現した日除け部材は、それ自体が極めて複雑な形状を備えているため、特許文献２の記述に基づき、以下に詳説する。
【０００４】
まず、図１５に示すように、日除け部材１は、４つの基本要素２，３，４，５からなるフラクタル構造とされ、各基本要素２，３，４，５自体も、同じ形の三角形が対称状に一体化された二面体11，12，13，14を単位とするフラクタル構造をなしている。
【０００５】
各基本要素２，３，４，５は、平面から見て四角形となる４つの二面体11，12，13，14が左右、前後及び上下に隣り合うように配置されたもので、基準位置にある第１の二面体11と、第１の二面体11の右方に配置された第２の二面体12と、第１の二面体11の後方に配置された第３の二面体13と、第１から第３までの二面体11，12，13の上方に配置された第４の二面体14とからなる。
【０００６】
日除け部材１は、４つの基本要素２，３，４，５が左右、前後及び上下に隣り合うように配置されたもので、基準位置にある第１の基本要素２と、第１の基本要素２の右方に配置された第２の基本要素３と、第１の基本要素２の後方に配置された第３の基本要素４と、第１から第３までの基本要素２，３，４の上方に配置された第４の基本要素５とからなる。
【０００７】
図１６に拡大して示すように、基本要素２（他の基本要素３，４，５でも同じ）を構成する４つの二面体11，12，13，14は同一形状とされており、各二面体11，12，13，14は、前面を形成する小三角形板部11a，12a，13a，14aと、側面を形成する小三角形板部11b，12b，13b，14bとからなる。
【０００８】
第１の二面体11は、水平面上に位置して正方形の二辺を形成する左右方向及び前後方向の下辺21，22と、下辺21，22同士の交差部から斜め上方にのびて稜線Ｒを形成する共通辺23と、共通辺23の上端部と各下辺21，22の端部とをつなぐ手前側及び奥側の上辺24，25とからなる。
【０００９】
第２の二面体12は、第１の二面体11の左右方向の下辺21が左右方向に延長された左右方向の下辺21と、第１の二面体11の前後方向の下辺22に平行な前後方向の下辺22と、第１の二面体11の共通辺23に平行な共通辺23と、第１の二面体11の手前側及び奥側の上辺24，25にそれぞれ平行な手前側及び奥側の上辺24，25とからなる。
【００１０】
第３の二面体13は、第１の二面体11の前後方向の下辺22が前後方向に延長された前後方向の下辺22と、第１の二面体11の左右方向の下辺21に平行な左右方向の下辺21と、第１の二面体11の共通辺23に平行な共通辺23と、第１の二面体11の手前側及び奥側の上辺24，25にそれぞれ平行な手前側及び奥側の上辺24，25とからなる。
【００１１】
第４の二面体14は、第１の二面体11の共通辺23が斜め上方に延長された共通辺23と、第２の二面体12の手前側の上辺24が斜め上方に延長された手前側の上辺24と、第３の二面体13の奥側の上辺25が斜め上方に延長された奥側の上辺25と、第１の二面体11の左右方向の下辺21に平行な左右方向の下辺21と、第１の二面体11の前後方向の下辺22に平行な前後方向の下辺22とからなる。
【００１２】
図１６において、第１、第２及び第４の各二面体11，12，14の前面を形成する小三角形板部11a，12a，14aは、同一平面（前面）上にあり、この前面に対して、第２の二面体12の側面を形成する小三角形板部12bが底面側に屈曲させられていることで、基本要素２の前面には、三角形状の小三角形透孔15が形成されている。
また、第１、第３及び第４の各二面体11，13，14の側面を形成する小三角形板部11b，13b，14bは、同一平面（側面）上にあり、この側面に対して、第３の二面体13の前面を形成する小三角形板部13aが底面側に屈曲させられていることで、基本要素２の側面には、三角形状の小三角形透孔15が形成されている。
こうして、基本要素２は、中央部に小三角形透孔15を有する２つの中三角形板部2a，2bが稜線Ｒを介して接合された二面体本体部分と、中三角形板部2a，2bに対して底面側に折り曲げられた小三角形板部（突出部分）12b，13aとからなる二面体形状となっている。
【００１３】
４つの基本要素２，３，４，５からなる日除け部材１において、第１、第２及び第４の各基本要素２，３，５の前面を形成する中三角形板部２a，３a，５aは、同一平面（前面）上にあり、この前面に対して、第２の基本要素３の側面を形成する中三角形板部３bが底面側に屈曲させられていることで、前面の大三角形部１aには、三角形状の中三角形透孔６が形成されている。
また、第１、第３及び第４の各基本要素２，４，５の側面を形成する中三角形板部２b，４b，５bは、同一平面（側面）上にあり、この側面に対して、第３の基本要素４の前面を形成する中三角形板部４aが底面側に屈曲させられていることで、側面の大三角形部１bには、三角形状の中三角形透孔６が形成されている。
この結果、日除け部材成形品１は、中央部に中三角形透孔６を有する２つの大三角形板部１a，１bが稜線Ｒを介して接合された二面体本体部分と、大三角形板部１a，１bに対して底面側に折り曲げられた中三角形板部（突出部分）３b，４aとからなる二面体形状となっている。
【００１４】
したがって、日除け部材１を基本要素とみなして、これを４つ使用して上記の基本要素２，３，４，５と同じように左右、前後及び上下に配置することで、図１７に示す日除け部材１の組立品である日除けブロックが得られ、使用する日除けブロックの数を適宜増やしていくことで必要な大きさの日除けを得ることができる。
【００１５】
この日除け部材１を用いて日除けを形成するに際しては、４つの日除け部材１を連結させた日除けブロックを多数用意した上で、予め各日除けブロックを矩形状のフレーム部材に組み付けることにより、日除けユニットが形成される。
また、複数の脚部によって支持された基礎フレーム上に複数の日除けユニットを載置固定することにより、日除けが形成される（図１０参照）。
【発明の開示】
【発明が解決しようとする課題】
【００１６】
上記日除けブロックに含まれる各日除け部材１の稜線Ｒを南側に向けることにより、太陽光線が日除け部材１によって遮断されるため、日除け効果を発揮することが可能となる。
また、各日除け部材１には三角形状の透孔部が多数形成されており、遮光面が３次元空間に分散配置された形となっているため、遮光面間に設けられた隙間を介して熱を素早く空気中に逃がすことが可能となる。
【００１７】
しかしながら、多数の日除けユニットを連結させることによって比較的大型の日除けを形成した場合、風上に設置された日除け部材の温度上昇は防ぐことができるが、風下に設置された日除けには熱を含んだ空気が流れ込むため、空気中に熱を逃がす効率が比較的に低下する。
このため、風下に設置された日除け部材の温度は、風上に設置された日除け部材より上昇し、日除けとしての効果が低下する。
例えば、風速３ｍ／秒のとき、２０ｍの風下に設置された日除け部材の温度は、風上に設置された日除け部材の温度よりも約１０℃高くなっていた。
また、上記のように比較的広い日除けを形成するとなると、どうしても平板かつ単調な外観となり、デザイン性に欠けるという問題が生じていた。
【００１８】
この発明は、従来のこのような問題を解決するために案出されたものであり、比較的面積の広い大規模な日除けを形成する場合でも部分的な性能低下を起こすことなく、均一に近い性能を発揮できる技術の提供を目的としている。
また、変化に富んだ外観を付与することにより、日除け全体のデザイン性の向上を図ることも目的としている。
【課題を解決するための手段】
【００１９】
上記の目的を達成するため、請求項１に記載した日除けは、複数の遮光面と複数の透孔が三次元的に配置され、所定の最大遮光角度から観察した場合に上記の各透光が背後に配置された各遮光面によってほぼ塞がれた状態にみえる構造を備えた複数の日除け部材を、一定の方向に揃えて取り付けた日除けユニットを複数備えた日除けであって、上記日除けユニットの一部が、他の日除けユニットよりも垂直方向に高い位置に配置されていることを特徴としている。
【００２０】
請求項２に記載した日除けは、請求項１の日除けであって、さらに、上記の各日除けユニットが複数のグループに分けられており、各日除けユニットは、グループ単位で別個の脚部によって設置面から所定の距離を隔てた位置に支持されており、各グループを支持する脚部の一部が、他のグループを支持する脚部の高さと異なる高さを備えていることを特徴としている。
【発明の効果】
【００２１】
通常、日除けユニットは３〜１０ｍ2程度の面積にすることが組み立て作業を容易にするうえで好ましいが、複数の日除けユニットを隣接配置して日除けの面積を拡張すると、上記のように風上の日除け部材が除去した熱の影響を受けるため、風下の日除け部材は性能が低下する。
大凡のところ、日除けユニットに含まれる日除け部材間の距離が５ｍ以上離れると、風下側に行くに従って徐々に性能が低下していく。
【００２２】
この発明により、従来のこのような問題を解決することができる。
すなわち、複数の日除けユニットを組み合わせて広い大規模な日除けを形成する場合であっても、日除けユニット間に高低差が意図的に設けられているため、風上側の日除けユニットの通過によって暖められた空気が、そのまま隣接する日除けユニットに流入することがない。このため、風下側の日除けユニットに新鮮な冷たい空気を流入させることが可能となり、部分的な性能低下の少ない、均一に近い性能を発揮できる。  
また、変化に富んだ外観の日除けを提供することができ、日除け全体のデザイン性を向上させることもできる。
【発明を実施するための最良の形態】
【００２３】
図１は、この発明に係る日除け部材50を示す斜視図であり、その基本構造は図１５において説明した従来の日除け部材１と実質的に等しいため、対応部分には同一の符号を付することにより、重複の説明は省略する。
ただし、この日除け部材50の場合、四隅に第１の接続片51a、第２の接続片51b、第３の接続片51c、第４の接続片51dが突設されており、各接続片の貫通孔52を用いて他の日除け部材50や後述のフレーム部材と接続される。
また、小三角形板部11a，12a，13a，14a及び小三角形板部11b，12b，13b，14bが複数の「遮光面」に該当すると共に、小三角形透孔15及び中三角形透孔６が複数の「透孔」に該当する。
【００２４】
図２は、４個の日除け部材50を用いて日除けブロックを形成する様子を示す模式図であり、第１の日除け部材50a、第２の日除け部材50b、第３の日除け部材50c、第４の日除け部材50dの接続片同士を、図示しないビスとナットを介して係合することにより、日除けブロック53, 54が形成される。
具体的には、以下の接続片間が係合される。
(1)第１の日除け部材50aの第２の接続片51bと第２の日除け部材50bの第１の接続片51a間
(2)第１の日除け部材50aの第３の接続片51cと第３の日除け部材50cの第１の接続片51a間
(3)第１の日除け部材50aの第４の接続片51dと第４の日除け部材50dの第１の接続片51a間
(4)第２の日除け部材50bの第３の接続片51cと第３の日除け部材50cの第２の接続片51b間
(5)第２の日除け部材50bの第４の接続片51dと第４の日除け部材50dの第２の接続片51b間
(6)第３の日除け部材50cの第４の接続片51dと第４の日除け部材50dの第３の接続片51c間
【００２５】
このようにして形成された各日除けブロック53, 54は、多数の相似形を内包しており、それ自体がフラクタル構造を備えている（図１７参照）。
また、第１の日除け部材50aの第１の接続片51a、第２の日除け部材50bの第２の接続片51b、第３の日除け部材50cの第３の接続片51c、第４の日除け部材50dの第４の接続片51dが、それぞれブロック53, 54の第１の接続片55a、第２の接続片55b、第３の接続片55c、第４の接続片55dを構成する。
【００２６】
この発明においては、日除けブロックを図１７に示されたのと同様の方向で用いる場合と、これを裏返した状態で用いる場合があるため、前者を正置ブロック53と称し、後者を倒置ブロック54と称することにより、両者を区別することとする。
また、図２以降において図示される正置ブロック53及び倒置ブロック54については、図示の便宜上、三角形状の透孔を全て省略した形で記載している。
【００２７】
このような正置ブロック53及び倒置ブロック54を、予め規格化された所定の大きさのフレーム部材に複数組み付けることにより、日除けユニットが形成される。
【００２８】
図３は、第１のフレーム部材60を示すものであり、一対の縦桟61と一対の横桟62によって形成された四角形の枠内に、４本のリーフ桟63を相互に所定の間隔を空けて平行に配置固定した構成を備えている。
【００２９】
この第１のフレーム部材60の各リーフ桟63に対して２個の正置ブロック53を載置した上で、それぞれの第２の接続片55b及び第４の接続片55dの貫通孔52にビス64を挿通し、横桟62あるいはリーフ桟63に螺合させる。この際、一方の正置ブロック53の第４の接続片55dと、他方の正置ブロック53の第２の接続片55bに対しては共通のビス64が挿通され、リーフ桟63に螺合される。
以上の結果、図４に示すように、１段目を構成する計８個の正置ブロック53が第１のフレーム部材60に固定される。
【００３０】
つぎに、隣接する一対の正置ブロック53上に２段目を構成する正置ブロック53を載置する。この際、上側の正置ブロック53の第２の接続片55b及び第４の接続片55dを、下側の各正置ブロック53の第１の接続片55aに合わせ、それぞれの貫通孔52にビス64を挿通させ、ナット（図示省略）で固定する。
この作業を繰り返すことにより、図５に示すように、計１３個（１段目：８個、２段目：５個）の正置ブロック53を搭載した正置ユニット66が完成する。
【００３１】
図示の通り、２段目を構成する各正置ブロック53については、前に位置する正置ブロック53の第３の接続片55cと後に位置する正置ブロック53の第１の接続片55aとが、ビス64及びナットを介して相互に接合されている。
【００３２】
図６は、第２のフレーム部材68を示すものであり、一対の縦桟61と一対の横桟62によって形成された四角形の枠内に、２本のリーフ桟63を相互に所定の間隔を空けて平行に配置固定した構成を備えている。
【００３３】
この第２のフレーム部材68の各リーフ桟63に対しては、倒置ブロック54を載置し、それぞれの第１の接続片55a及び第３の接続片55cの貫通孔52にビス64を挿通し、リーフ桟63あるいは縦桟61に螺合させることにより、固定していく。
図７に示すように、各リーフ桟63に沿って４個の倒置ブロック54が固定され、これら合計８個の倒置ブロック54により、１段目が構成される。
【００３４】
この場合、一方のリーフ桟63に載置された倒置ブロック54と、他方のリーフ桟63に載置された倒置ブロック54の上には、それぞれ棒状の補強部材69が載置される。
計４本の補強部材69には、それぞれ３個のビス穴70が形成されている。これらの中、先頭のビス穴70は、一方のリーフ桟63に配置された倒置ブロック54の第４の接続片55dの貫通孔52に合う位置に形成されている。また２番目のビス穴70は、一方のリーフ桟63に配置された倒置ブロック54の第２の接続片55bの貫通孔52及び他方のリーフ桟63に配置された倒置ブロック54の第４の接続片55dの貫通孔52と合う位置に形成されている。さらに３番目のビス穴70は、他方のリーフ桟63に配置された倒置ブロック54の第２の接続片55bの貫通孔52に合う位置に形成されている。
【００３５】
つぎに、図８に示すように、各補強部材69間に３個の倒置ブロック54が縦一列に配置され、それぞれの第１の接続片55a及び第３の接続片55cの貫通孔52が、各補強部材69のビス穴70に位置合わせされる。
その後、補強部材69の裏側からビス64が各ビス穴70及び貫通孔52に挿通され、ナット71によってネジ止めされる。
この結果、図９に示すように、計９個の倒置ブロック54が補強部材69間に配置固定され、これらの倒置ブロック54によって２段目が構成される。
【００３６】
この２段目を構成する縦一列に配置された３個の倒置ブロック54の上には、それぞれ比較的長尺な棒状の補強部材72が載置される。
計３本の補強部材72には、それぞれ４個のビス穴70が形成されており、各倒置ブロック54の接続片の貫通孔52と位置合わせされる。
そして、倒置ブロック54の裏側から各貫通孔52及びビス穴70にビス64が挿通され、ナット71によってネジ止めされる。
この結果、計１７個（１段目：８個、２段目：９個）の倒置ブロック54を搭載した倒置ユニット75が完成する。
【００３７】
正置ユニット66及び倒置ユニット75は、予め工場において必要個数製造された上で、設置現場にトラック輸送され、日除けとして組み立てられる。
図１０は、完成した日除け76を例示するものであり、設置面77に対し垂直に立設された複数の脚部78上に基礎フレーム80が載置され、その上に正置ユニット66及び倒置ユニット75が固定されている様子が描かれている。
正置ユニット66及び倒置ユニット75は、フォークリフトやユニック車によって基礎フレーム80上に持ち上げられ、図示しない連結具によって固定される。
【００３８】
図１１は、上記日除け76の平面図であり、正置ユニット66と倒置ユニット75とが、前後左右方向において互い違いに配置されている様子が描かれている。
この正置ユニット66と倒置ユニット75の配置に際しては、正置ユニット66に含まれる各正置ブロック53の稜線が南面に直交し、倒置ユニット75に含まれる各倒置ブロック54の稜線が南面に平行するように位置決めすることが望ましい。
【００３９】
このように、複数の正置ブロック53を備えた正置ユニット66と、複数の倒置ブロック54を備えた倒置ユニット75を、所謂市松模様状に配置することにより、一方のユニットから張り出したブロックが他方のユニットにおける空きスペースに嵌合する形となり、隙間の少ない遮光面を効率的に形成することが可能となる。
【００４０】
ただし、この発明はこのような構成に拘泥するものではなく、正置ユニット66あるいは倒置ユニット75の何れか一方の日除けユニットのみを多数用いることにより、日除けを構成することを排除するものではない。
また、このように日除けユニットを用いて日除けを構成する場合、遮光面の所々に隙間が生じる可能性があるが、その場合には日除けブロックを追加的に取り付けることにより、隙間を個別に埋めてゆけばよい。
【００４１】
また、各日除けユニットの構成も上記に限定されるものではなく、リーフ桟63の本数や相互の間隔、取り付ける日除けブロックの数や取付方法、段数については様々なバリエーションが考えられる。
【００４２】
上記のように、各日除けブロックに含まれる各日除け部材50の稜線Ｒを南側に向けることにより、太陽光線が日除け部材50によって遮断されるため、日除け効果を発揮することが可能となる。
また、各日除け部材50には三角形状の透孔部が多数形成されており、遮光面が３次元空間に分散配置された形となっているため、遮光面間に設けられた隙間を介して熱を素早く空気中に逃がすことが可能となる。
【００４３】
しかしながら、図１２に示すように、それぞれ複数の日除けユニットを備えた複数の日除けグループ81A及び81Bを隣接配置して比較的広範囲の日除け76を形成する場合、風上に位置する日除けグループの日除け部材50から放出された熱によって温度が上昇した風（熱気）が、風下に位置する日除けグループの日除け部材50に流れ込む形となるため、放熱効果が低減するという問題が生じる。
例えば、風速３ｍ／秒のとき、２０ｍの風下に設置された日除け部材50の温度は、風上に設置された日除け部材50の温度よりも約１０℃高くなっていた。
このため、日陰82では位置によって涼しさにムラが生じていた。
【００４４】
そこで、複数の日除けグループを隣接配置して比較的広い面積の日除け76を形成するに際し、図１３に示すように、各日除けグループに含まれる日除け部材50の垂直位置（設置面77からの距離）を異ならせることが、放熱効果を担保するのに有効である。
図においては、３つの日除けグループ81A、81B、81Cを支持する脚部78の高さが、風上側から風下側に向けて順に高くなるように設定されている。
【００４５】
具体的には、最も風上側に配置された第１の日除けグループ81Aの脚部78Aが２．５ｍに、真ん中に配置された第２の日除けグループ81Bの脚部78Bが３．０ｍに、最も風下側に配置された第３の日除けグループ81Cの脚部78Cが３．５ｍに設定されている。
【００４６】
この結果、第１の日除けグループ81Aの日除け部材50を通過することによって高温化した空気（熱気）は、第２の日除けグループ81Bの日除け部材50に流入することなく、脚部78B側に放散される。
また、第２の日除けグループ81Bの日除け部材50には、第１の日除けグループ81Aの上方を通過してきた冷気が流入することとなる。
【００４７】
同様に、第２の日除けグループ81Bの日除け部材50を通過することによって高温化した空気（熱気）は、第３の日除けグループ81Cの日除け部材50に流入することなく、脚部78C側に放散される。
また、第３の日除けグループ81Cの日除け部材50には、第２の日除けグループ81Bの上方を通過してきた冷気が流入することとなる。
【００４８】
以上のように、各日除けグループの日除け部材50には風上からの冷たい空気が常に流入するため、それぞれの放熱効果が熱気の流入によって阻害されることがない。
この結果、日陰82における温度ムラを解消でき、均一な涼しさを提供できる。
【００４９】
なお、各日除けグループの間に段差を設けることによって隙間が生じる場合には、隙間を閉塞するための日除けブロックを追加すればよい。
図１３においては、第２の日除けグループ81Bと第３の日除けグループ81Cとの間の隙間に、正置ブロック53を配置した例が示されている。
【００５０】
上記の場合、各日除けグループの高さが風上側から風下側に向けて段々に高くなる例を示したが、その反対に、各日除けグループの高さが風上側から風下側に向けて段々に低くなるように構成することもできる。
【００５１】
また、各日除けグループの高さが、風上側から風下側に向けて交互に高くなったり低くなったりするように、段違いに構成することもできる。
図１４はその一例を示すものであり、最も風上側に位置する第１の日除けグループ81Aの脚部78Aと、最も風下側に位置する第３の日除けグループ81Cの脚部78Cが同じ２．５ｍの高さに設定されており、真ん中に位置する第２の日除けグループ81Bの脚部が一番高い３．０ｍに設定されている。
【００５２】
この場合、第１の日除けグループ81Aの日除け部材50を通過することによって高温化した空気（熱気）は、第２の日除けグループ81Bの日除け部材50に流入することなく、脚部78B側に放散される。
また、第２の日除けグループ81Bの日除け部材50には、第１の日除けグループ81Aの上方を通過してきた冷気が流入することとなる。
【００５３】
同様に、第２の日除けグループ81Bの日除け部材50の通過によって高温化した空気（熱気）は、第３の日除けグループ81Cの日除け部材50に流入することなく、その上方に放散されることとなる。
また、第３の日除けグループ81Cの日除け部材50に対しては、第２の日除けグループ81Bの脚部78B間を通過する中に冷却された空気が流入するため、各日除け部材50の熱を有効に逃がすことが可能となる。
【図面の簡単な説明】
【００５４】
【図１】この発明に係る日除け部材の一例を示す斜視図である。
【図２】４個の日除け部材を用いてブロックを形成する様子を示す模式図である。
【図３】第１のフレーム部材に正置ブロックを２段に組み付ける様子を示す斜視図である。
【図４】第１のフレーム部材に正置ブロックを２段に組み付ける様子を示す斜視図である。
【図５】第１のフレーム部材に正置ブロックを２段に組み付ける様子を示す斜視図である。
【図６】第２のフレーム部材に倒置ブロックを２段に組み付ける様子を示す斜視図である。
【図７】第２のフレーム部材に倒置ブロックを２段に組み付ける様子を示す斜視図である。
【図８】第２のフレーム部材に倒置ブロックを２段に組み付ける様子を示す斜視図である。
【図９】第２のフレーム部材に倒置ブロックを２段に組み付ける様子を示す斜視図である。
【図１０】正置ユニット及び倒置ユニットを用いて形成された日除けを示す側面図である。
【図１１】正置ユニット及び倒置ユニットを用いて形成された日除けを示す平面図である。
【図１２】大規模な日除けを形成した際の弊害を説明する側面図である。
【図１３】大規模な日除けを形成した際の弊害を回避するための構成を示す側面図である。
【図１４】大規模な日除けを形成した際の弊害を回避するための他の構成を示す側面図である。
【図１５】従来の日除け部材を示す斜視図である。
【図１６】従来の日除け部材の基本要素の拡大斜視図である。
【図１７】従来の日除け部材を４個用いて組み立てられる日除けブロックを示す斜視図である。
【符号の説明】
【００５５】
11a〜14d 小三角形板部
11b〜14b 小三角形板部
６ 中三角形透孔
15 小三角形透孔
50 日除け部材
51a 日除け部材の第１の接続片
51b 日除け部材の第２の接続片
51c 日除け部材の第３の接続片
51d 日除け部材の第４の接続片
52 貫通孔
53 正置ブロック
54 倒置ブロック
55a ブロックの第１の接続片
55b ブロックの第２接続片
55c ブロックの第３の接続片
55d ブロックの第４の接続片
60 第１のフレーム部材
61 縦桟
62 横桟
63 リーフ桟
64 ビス
66 正置ユニット
68 第２のフレーム部材
69 補強部材
70 ビス穴
71 ナット
72 補強部材
75 倒置ユニット
76 日除け
77 設置面
78 脚部
80 基礎フレーム
81 日除けグループ
82 日陰
【図１】
2018080500.tif 000003
【図２】
2018080500.tif 000004
【図３】
2018080500.tif 000005
【図４】
2018080500.tif 000006
【図５】
2018080500.tif 000007
【図６】
2018080500.tif 000008
【図７】
2018080500.tif 000009
【図８】
2018080500.tif 000010
【図９】
2018080500.tif 000011
【図１０】
2018080500.tif 000012
【図１１】
2018080500.tif 000013
【図１２】
2018080500.tif 000014
【図１３】
2018080500.tif 000015
【図１４】
2018080500.tif 000016
【図１５】
2018080500.tif 000017
【図１６】
2018080500.tif 000018
【図１７】
2018080500.tif 000019